(57)【特許請求の範囲】
【請求項１】
通行車両に対する料金収受機器の異常を監視する料金収受機器監視システムにおいて、
前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、
前記機器通知設定手段によって設定されたモードを前記料金収受機器ごとに記憶するモード記憶手段と、
前記料金収受機器からの異常発生の通知信号により、前記モード記憶手段に記憶された当該料金収受機器のモードに応じて、通常モードであれば警報音または音声による異常通知を行い、保守モードであれば前記異常通知を行わないよう制御する異常通知制御手段とを備えたことを特徴とする料金収受機器監視システム。
【請求項２】
通行車両に対する料金収受機器の異常を監視し、表示／操作部に前記料金収受機器の異常情報を表示する料金収受機器監視システムにおいて、
前記料金収受機器について異常発生時に警報音または音声による異常通知を行う通知モードか前記異常通知を行わない停止モードかのモード設定を前記表示／操作部から受け付ける操作部設定手段と、
前記操作部設定手段によって設定されたモードを前記料金収受機器ごとに記憶するモード記憶手段と、
前記料金収受機器からの異常発生の通知信号により、前記モード記憶手段に記憶された当該料金収受機器のモードに応じて、通知モードであれば警報音または音声による異常通知を行い、停止モードであれば前記異常通知を行わないよう制御する異常通知制御手段とを備えたことを特徴とする料金収受機器監視システム。
【請求項３】
通行車両に対する料金収受機器の異常を監視し、表示／操作部に前記料金収受機器の異常情報を表示する料金収受機器監視システムにおいて、
前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、
前記機器通知設定手段によって設定されたモードを前記料金収受機器ごとに記憶する第１のモード記憶手段と、
前記料金収受機器について異常発生時に警報音または音声による異常通知を行う通知モードか前記異常通知を行わない停止モードかのモード設定を前記表示／操作部から受け付ける操作部設定手段と、
前記操作部設定手段によって設定されたモードを前記料金収受機器ごとに記憶する第２のモード記憶手段と、
前記料金収受機器からの異常発生の通知信号により、前記第１および第２のモード記憶手段に記憶された当該料金収受機器のモードが通常および通知モードのとき、警報音または音声による異常通知を行うよう制御する異常通知制御手段とを備えたことを特徴とする料金収受機器監視システム。
【請求項４】
通行車両に対する料金収受機器の異常を監視し、表示／操作部に前記料金収受機器の異常情報を表示する料金収受機器監視システムにおいて、
前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、
前記料金収受機器について異常発生時に警報音または音声による異常通知を行う通知モードか前記異常通知を行わない停止モードかのモード設定を前記表示／操作部から受け付ける操作部設定手段と、
前記機器通知設定手段からのモード情報および前記操作部設定手段からのモード情報に基づいて、前記料金収受機器ごとに通常または通知のモードか否かのモード情報を記憶するモード情報記憶手段と、
前記料金収受機器からの異常発生の通知信号により、前記モード情報記憶手段に記憶された当該料金収受機器のモード情報に応じて、このモード情報が通常または通知のモードのとき警報音または音声による異常通知を行い、通常または通知のモードでないとき警報音または音声による異常通知を行わないよう制御する異常通知制御手段とを備えたことを特徴とする料金収受機器監視システム。
【請求項５】
前記操作部設定手段が、
前記表示／操作部からの所定の操作信号により前記表示／操作部に隠れ操作釦を表示する手段と、
前記隠れ操作釦の操作信号に基づいて前記異常通知を行う通知モードか前記停止モードのいずれかに設定するモード設定手段とを備えることを特徴とする請求項２ないし４のいずれか１項に記載の料金収受機器監視システム。
【請求項６】
通行車両に対する料金収受機器の異常を監視する料金収受機器監視方法において、
前記料金収受機器からの保守作業開始および終了の通知信号を入力する工程と、
入力された保守作業開始の通知信号により、当該料金収受機器のモードを保守モードに設定し、保守作業終了の通知信号により、保守モードを通常モードに変更する工程と、
前記料金収受機器からの異常発生の通知信号を入力する工程と、
入力された異常発生の通知信号により、当該料金収受機器について設定されているモードに応じて、通常モードであれば警報音または音声による異常通知を行い、保守モードであれば前記異常通知を行わないよう制御する工程とを含むことを特徴とする料金収受機器監視方法。
【請求項７】
通行車両に対する料金収受機器の異常を監視し、表示／操作部に前記料金収受機器の異常情報を表示する料金収受機器監視方法において、
前記料金収受機器について異常発生時に警報音または音声による異常通知を行う通知モードか前記異常通知を行わない停止モードかのモード設定を前記表示／操作部から受け付ける操作部設定工程と、
前記表示／操作部から設定されたモード情報を前記料金収受機器ごとに記憶する工程と、
前記料金収受機器からの異常発生の通知信号を入力する工程と、
入力された異常発生の通知信号により、記憶された当該料金収受機器のモード情報に応じて、通知モードであれば警報音または音声による異常通知を行い、停止モードであれば前記異常通知を行わないよう制御する工程とを含むことを特徴とする料金収受機器監視方法。
【請求項８】
通行車両に対する料金収受機器の異常を監視し、表示／操作部に前記料金収受機器の異常情報を表示する料金収受機器監視方法において、
前記料金収受機器からの保守作業開始および終了の通知信号を入力する工程と、
入力された保守作業開始の通知信号により、当該料金収受機器のモードを保守モードに設定し、保守作業終了の通知信号により、保守モードを通常モードに変更する工程と、
この工程によって設定されたモード情報を前記料金収受機器ごとに記憶する工程と、
前記料金収受機器について異常発生時に警報音または音声による異常通知を行う通知モードか前記異常通知を行わない停止モードかのモード設定を前記表示／操作部から受け付ける操作部設定工程と、
前記表示／操作部から設定されたモード情報を前記料金収受機器ごとに記憶する工程と、
前記料金収受機器からの異常発生の通知信号を入力する工程と、
入力された異常発生の通知信号により、記憶された当該料金収受機器のモード情報が通常および通知モードのとき、警報音または音声による異常通知を行うよう制御する工程とを含むことを特徴とする料金収受機器監視方法。
【請求項９】
通行車両に対する料金収受機器の異常を監視し、表示／操作部に前記料金収受機器の異常情報を表示する料金収受機器監視方法において、
前記料金収受機器からの保守作業開始および終了の通知信号を入力する工程と、
入力された保守作業開始の通知信号により、当該料金収受機器のモードを保守モードに設定し、保守作業終了の通知信号により、保守モードを通常モードに変更する工程と、
前記料金収受機器について異常発生時に警報音または音声による異常通知を行う通知モードか前記異常通知を行わない停止モードかのモード設定を前記表示／操作部から受け付ける操作部設定工程と、
前記料金収受機器からの保守作業の通知信号に基づいて設定されたモード情報および前記表示／操作部から設定されたモード情報に基づいて、前記料金収受機器ごとに通常または通知のモードか否かのモード情報を記憶する工程と、
前記料金収受機器からの異常発生の通知信号を入力する工程と、
入力された異常発生の通知信号により、記憶された当該料金収受機器のモード情報に応じて、このモード情報が通常または通知のモードのとき警報音または音声による異常通知を行い、通常または通知のモードでないとき警報音または音声による異常通知を行わないよう制御する工程とを含むことを特徴とする料金収受機器監視方法。
【請求項１０】
前記操作部設定工程が、
前記表示／操作部からの所定の操作信号により前記表示／操作部に隠れ操作釦を表示する工程と、
前記隠れ操作釦の操作信号に基づいて前記異常通知を行う通知モードか前記停止モードのいずれかに設定する工程とを有することを特徴とする請求項７ないし９のいずれか１項に記載の料金収受機器監視方法。
【発明の詳細な説明】
【０００１】
【発明の属する技術分野】
本発明は、有料道路等の料金所に設置される通行券自動発行機等の料金収受機器を監視する料金収受機器監視システム及び料金収受機器監視方法に関する。
【０００２】
【従来の技術】
有料道路における通行料金の精算を行うための料金収受システムとしては、通行券と、プリペイドカード、キャッシュカードまたは貨幣等を媒体とした磁気カード式料金収受システムと、無線通信可能な車載機を車両に搭載し、車載機にセットされたＩＣカードにより通行料金の精算を行う無線カード式料金収受システム（以下、ＥＴＣ(登録商標)システムという。）がある。
【０００３】
磁気カード式料金収受システムは、通常、車両が進入する入口車線において、通行券自動発行機により、この入口料金所を特定するための入口情報が記録された磁気カードを通行券として発行し、出口車線において、領収書発行機、通行券確認機、カード処理機およびこれらを制御する出口車線制御装置により、通行券車両のドライバが所持していた通行券から入口情報を読み出して通行料を算出し、その金額をドライバに提示して、現金、ハイウェイカード等による通行料の徴収を行うようにしている。
【０００４】
一方、上述したＥＴＣ(登録商標)システムは、近年料金収受にかかる車両の混雑緩和を目的として導入されたもので、入力車線において、車両に搭載された車載機のＩＣカードに無線通信により入口情報の書込みを行い、出口車線において、無線通信で車載機内のＩＣカードから入口情報を読み出し、この読み出した入口情報に基づいてＩＣカードの精算用記録情報（前納した金額の残高、または預託金の口座情報等）にて通行料金の自動精算を行う。車載機と無線通信を行うために必要な無線制御装置は、入口車線においては通行券自動発行機に組み込まれ、出口車線においては出口車線制御装置に組み込まれる。
【０００５】
ところで、このような料金所の事務所には、係員に対して料金所内で発生する各種異常を通知する料金収受機器監視システムが設置されている。この料金収受機器監視システムは、通行車両に対する料金収受機器の異常、すなわち入口料金所においては通行券自動発行機、出口料金所においては出口車線制御装置の異常を監視するとともに、通行車両の走行を監視するものであり、通行券自動発行機（または出口車線制御装置）に異常が発生した場合や通行車両の違反行為や走行異常が発生した場合、異常を知らせる異常釦を表示するとともに、ブザー鳴動または音声によって異常を通知している。
【０００６】
このような料金収受機器監視システムでは、例えば通行券自動発行機の保守を行う場合には、扉を開けたりと通常考えれば異常となるような作業を行うため、このままでは異常として検知され異常の通知が出されてしまう。したがって、このような保守作業を行う場合には、通行券自動発行機について保守作業である旨を通知あるいは保守設定を行って、通常の異常とは区別できるようにしている。
【０００７】
【発明が解決しようとする課題】
しかしながら、保守作業による異常検知とわかっていても、ブザー鳴動や音声による異常通知がなされると、料金収受機器監視システムが設置された事務所内においては作業に支障をきたしていた。
【０００８】
このため、保守作業時には、通行券自動発行機を料金収受機器監視システムから切り離すことも考えられるが、その場合には通行券自動発行機の状態を監視することができないため、保守完了を料金収受機器監視システムを用いて確認することはできない。また、保守作業が正常に終了したかどうかは、作業現場での確認となり、作業ミスなどが発生して再び保守作業に戻った場合、事務所で把握することができないという問題がある。
【０００９】
本発明は、かかる点に対処してなされたもので、保守作業中の機器についても、異常通知により事務所内作業に支障をきたすことなく監視することができる料金収受機器監視システムおよび料金収受機器監視方法を提供することを目的とする。
【００１０】
【課題を解決するための手段】
すなわち、請求項１の発明は、通行車両に対する料金収受機器の異常を監視する料金収受機器監視システムにおいて、前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、前記機器通知設定手段によって設定されたモードを前記料金収受機器ごとに記憶するモード記憶手段と、前記料金収受機器からの異常発生の通知信号により、前記モード記憶手段に記憶された当該料金収受機器のモードに応じて、通常モードであれば警報音または音声による異常通知を行い、保守モードであれば前記異常通知を行わないよう制御する異常通知制御手段とを備えたことを特徴とする。
【００１１】
請求項２の発明は、通行車両に対する料金収受機器の異常を監視し、表示／操作部に前記料金収受機器の異常情報を表示する料金収受機器監視システムにおいて、前記料金収受機器について異常発生時に警報音または音声による異常通知を行う通知モードか前記異常通知を行わない停止モードかのモード設定を前記表示／操作部から受け付ける操作部設定手段と、前記操作部設定手段によって設定されたモードを前記料金収受機器ごとに記憶するモード記憶手段と、前記料金収受機器からの異常発生の通知信号により、前記モード記憶手段に記憶された当該料金収受機器のモードに応じて、通知モードであれば警報音または音声による異常通知を行い、停止モードであれば前記異常通知を行わないよう制御する異常通知制御手段とを備えたことを特徴とする。
【００１２】
請求項３の発明は、通行車両に対する料金収受機器の異常を監視し、表示／操作部に前記料金収受機器の異常情報を表示する料金収受機器監視システムにおいて、前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、前記機器通知設定手段によって設定されたモードを前記料金収受機器ごとに記憶する第１のモード記憶手段と、前記料金収受機器について異常発生時に警報音または音声による異常通知を行う通知モードか前記異常通知を行わない停止モードかのモード設定を前記表示／操作部から受け付ける操作部設定手段と、前記操作部設定手段によって設定されたモードを前記料金収受機器ごとに記憶する第２のモード記憶手段と、前記料金収受機器からの異常発生の通知信号により、前記第１および第２のモード記憶手段に記憶された当該料金収受機器のモードが通常および通知モードのとき、警報音または音声による異常通知を行うよう制御する異常通知制御手段とを備えたことを特徴とする。
【００１３】
請求項４の発明は、通行車両に対する料金収受機器の異常を監視し、表示／操作部に前記料金収受機器の異常情報を表示する料金収受機器監視システムにおいて、前記料金収受機器からの保守作業開始の通知信号により、当該料金収受機器のモードを保守モードに設定し、前記料金収受機器からの保守作業終了の通知信号により、保守モードを通常モードに戻す機器通知設定手段と、前記料金収受機器について異常発生時に警報音または音声による異常通知を行う通知モードか前記異常通知を行わない停止モードかのモード設定を前記表示／操作部から受け付ける操作部設定手段と、前記機器通知設定手段からのモード情報および前記操作部設定手段からのモード情報に基づいて、前記料金収受機器ごとに通常または通知のモードか否かのモード情報を記憶するモード情報記憶手段と、前記料金収受機器からの異常発生の通知信号により、前記モード情報記憶手段に記憶された当該料金収受機器のモード情報に応じて、このモード情報が通常または通知のモードのとき警報音または音声による異常通知を行い、通常または通知のモードでないとき警報音または音声による異常通知を行わないよう制御する異常通知制御手段とを備えたことを特徴とする。
【００１４】
請求項５の発明は、請求項２ないし４のいずれか１項の料金収受機器監視システムにおいて、前記操作部設定手段が、前記表示／操作部からの所定の操作信号により前記表示／操作部に隠れ操作釦を表示する手段と、前記隠れ操作釦の操作信号に基づいて前記異常通知を行う通知モードか前記停止モードのいずれかに設定するモード設定手段とを備えることを特徴とする。
【００１５】
請求項６の発明は、通行車両に対する料金収受機器の異常を監視する料金収受機器監視方法において、前記料金収受機器からの保守作業開始および終了の通知信号を入力する工程と、入力された保守作業開始の通知信号により、当該料金収受機器のモードを保守モードに設定し、保守作業終了の通知信号により、保守モードを通常モードに変更する工程と、前記料金収受機器からの異常発生の通知信号を入力する工程と、入力された異常発生の通知信号により、当該料金収受機器について設定されているモードに応じて、通常モードであれば警報音または音声による異常通知を行い、保守モードであれば前記異常通知を行わないよう制御する工程とを含むことを特徴とする。
【００１６】
請求項７の発明は、通行車両に対する料金収受機器の異常を監視し、表示／操作部に前記料金収受機器の異常情報を表示する料金収受機器監視方法において、前記料金収受機器について異常発生時に警報音または音声による異常通知を行う通知モードか前記異常通知を行わない停止モードかのモード設定を前記表示／操作部から受け付ける操作部設定工程と、前記表示／操作部から設定されたモード情報を前記料金収受機器ごとに記憶する工程と、前記料金収受機器からの異常発生の通知信号を入力する工程と、入力された異常発生の通知信号により、記憶された当該料金収受機器のモード情報に応じて、通知モードであれば警報音または音声による異常通知を行い、停止モードであれば前記異常通知を行わないよう制御する工程とを含むことを特徴とする。
【００１７】
請求項８の発明は、通行車両に対する料金収受機器の異常を監視し、表示／操作部に前記料金収受機器の異常情報を表示する料金収受機器監視方法において、前記料金収受機器からの保守作業開始および終了の通知信号を入力する工程と、入力された保守作業開始の通知信号により、当該料金収受機器のモードを保守モードに設定し、保守作業終了の通知信号により、保守モードを通常モードに変更する工程と、この工程によって設定されたモード情報を前記料金収受機器ごとに記憶する工程と、前記料金収受機器について異常発生時に警報音または音声による異常通知を行う通知モードか前記異常通知を行わない停止モードかのモード設定を前記表示／操作部から受け付ける操作部設定工程と、前記表示／操作部から設定されたモード情報を前記料金収受機器ごとに記憶する工程と、前記料金収受機器からの異常発生の通知信号を入力する工程と、入力された異常発生の通知信号により、記憶された当該料金収受機器のモード情報が通常および通知モードのとき、警報音または音声による異常通知を行うよう制御する工程とを含むことを特徴とする。
【００１８】
請求項９の発明は、通行車両に対する料金収受機器の異常を監視し、表示／操作部に前記料金収受機器の異常情報を表示する料金収受機器監視方法において、前記料金収受機器からの保守作業開始および終了の通知信号を入力する工程と、入力された保守作業開始の通知信号により、当該料金収受機器のモードを保守モードに設定し、保守作業終了の通知信号により、保守モードを通常モードに変更する工程と、前記料金収受機器について異常発生時に警報音または音声による異常通知を行う通知モードか前記異常通知を行わない停止モードかのモード設定を前記表示／操作部から受け付ける操作部設定工程と、前記料金収受機器からの保守作業の通知信号に基づいて設定されたモード情報および前記表示／操作部から設定されたモード情報に基づいて、前記料金収受機器ごとに通常または通知のモードか否かのモード情報を記憶する工程と、前記料金収受機器からの異常発生の通知信号を入力する工程と、入力された異常発生の通知信号により、記憶された当該料金収受機器のモード情報に応じて、このモード情報が通常または通知のモードのとき警報音または音声による異常通知を行い、通常または通知のモードでないとき警報音または音声による異常通知を行わないよう制御する工程とを含むことを特徴とする。
【００１９】
請求項１０の発明は、請求項７ないし９のいずれか１項の料金収受方法において、前記操作部設定工程が、前記表示／操作部からの所定の操作信号により前記表示／操作部に隠れ操作釦を表示する工程と、前記隠れ操作釦の操作信号に基づいて前記異常通知を行う通知モードか前記停止モードのいずれかに設定する工程とを有することを特徴とする。
【００２０】
請求項１ないし１０の発明においては、監視対象機器ごとに通常（通知）モードか保守（停止）モードかを設定して、保守（停止）モードのとき異常発生時のブザー鳴動または音声通知を停止することにより、保守作業中の機器異常を通常の機器異常と区別して監視することが可能となり、保守作業中であっても監視システムから切離すことなく機器を監視することができる。
【００２１】
請求項１、３〜５、６、８〜１０の発明においては、機器を修理する際に、修理対象機器から直接料金収受機器監視システムに対し保守作業開始／終了を通知することで、人為的にモードを切替る煩わしさをなくして、作業終了と同時に通常モードに戻すことができる。
【００２２】
請求項２〜５、７〜１０の発明においては、修理した機器について、表示／操作部からブザー停止状態に設定することで、保守時でなくても異常発生時のブザー鳴動または音声通知を停止することができ、料金収受機器監視システムによる機器の修理確認を可能にすることができる。
【００２３】
請求項５および１０の発明においては、表示／操作部からのモード設定を通常は表示していない隠し操作釦を介して可能とすることにより、保守員等の特定の人のみモード設定可能にすることができる。
【００２４】
【発明の実施の形態】
以下、図面に基づいて本発明の実施の形態を説明する。
図１は本発明にかかる料金収受機器監視システムの全体構成を概略的に示すブロック図、図２は図１に示す監視処理部の構成を示すブロック図、図３〜図５は本発明の一実施の形態の料金収受機器監視システムの動作例を示すフロー図、図６は本実施の形態にかかる表示／操作部からの保守設定を説明する図である。
【００２５】
図１において、料金収受機器監視システムは、ＬＣＤやＣＲＴ等の表示部を有する表示／操作部１と、各車線（ここでは車線１〜車線４）に設置される通行券自動発行機（または出口車線制御装置）３を制御する通行券自動発行機制御部
（または出口車線制御装置制御部）５と、各車線に設置されるＩＴＶカメラ７と、ＩＴＶカメラ７からの映像を制御する映像制御部９と、ＩＴＶカメラ７からの映像を録画するビデオ装置１１と、ＩＴＶカメラ７からの映像を表示するＩＴＶ用モニタ１３と、表示／操作部１、通行券自動発行機制御部（または出口車線制御装置制御部）５および映像制御部９に接続されこれらを制御する監視処理部１５とで構成されている。
【００２６】
図２において、監視処理部１５は、監視システム全体の制御を行うＣＰＵ２１と、制御に必要なデータおよび演算結果を記憶するメモリ２３と、表示／操作部１とのデータの入出力を行う操作部インタフェース部２５と、通行券自動発行機制御部（または出口車線制御装置制御部）５とのデータの入出力を行う監視機器制御部インタフェース部２７と、映像制御部９とのデータの入出力を行う映像制御部インタフェース部２９と、スピーカへの音声出力を制御する音声制御部３１と、ブザー鳴動を制御するブザー制御部３３とで構成されている。
【００２７】
次に、監視処理部１５の処理例を示す図３〜図５および表示／操作部１の釦表示例を示す図６に基づいて、本実施の形態の異常通知にかかる作用を説明する。ここでは、図１に示すように４車線分の通行券自動発行機３を監視する場合を例に挙げて説明する。
【００２８】
本実施の形態では、通行券自動発行機３の保守作業を行う場合、通行券自動発行機３から監視処理部１５に保守作業開始／終了を通知することによって保守モードに設定する方法と、表示／操作部１を介して保守モードに設定する方法の２通りある。
【００２９】
図３および図４において、監視処理部１５は、各車線の通行券自動発行機３から異常発生／正常復帰の機器異常通知と保守作業開始／終了の保守モード通知のデータを通行券自動発行機制御部５を介して受け取り、それぞれの通知データに基づいて保守／通常モードの設定処理およびブザー鳴動ないし音声出力の異常通知処理を行う。
【００３０】
図３および図５において、監視処理部１５は、表示／操作部１からの操作データを受け取り、図６に示すように表示／操作部１の釦表示を制御するとともに、釦操作データに基づいてブザー鳴動ないし音声出力の異常通知を行うか否かのモード設定処理を行う。
【００３１】
まず、図３にしたがって説明すると、監視処理部１５は、料金収受機器制御部インタフェース部２７および操作部インタフェース部２５との接続処理を行い（ステップ１００）、通行券自動発行機制御部５からのデータがあれば、図４に示すような監視機器制御部データとしての処理を行い（ステップ１０１、１０２）、表示／操作部１からのデータがあれば、図５に示すような操作部データとしての処理を行う（ステップ１０３、１０４）。
【００３２】
すなわち、監視機器制御部データを入力すると、監視処理部１５は、図４に示すように、まず通行券自動発行機制御部５からのデータが機器異常通知か保守モード通知かを判断する（ステップ１１０、１１１）。保守作業開始／終了を通知する保守モード通知であれば、その通知を発生した通行券自動発行機の車線番号とモード状態（保守作業開始の通知のときは保守モード状態、保守作業終了の通知のときは通常モード状態）をメモリ２３に記憶する（ステップ１１２）。
【００３３】
一方、ステップ１１０で機器異常通知であれば、その異常発生／正常復帰の通知内容を表示／操作部１に表示する（ステップ１１３）。そして機器異常通知が異常発生通知のとき（ステップ１１４）、ステップ１１５において、その通知を発生した通行券自動発行機３のモード状態をメモリ２３から抽出し、通常モードに設定されていればブザー鳴動または音声出力し（ステップ１１６）、保守モードであればブザー鳴動または音声出力を行わない。また、機器異常通知が正常復帰のとき（ステップ１１４）、異常発生を知らせるブザー鳴動または音声出力を停止する（ステップ１１７）。
【００３４】
次に、図５に示す操作部データ処理を説明する前に、図６に基づいて表示／操作部１での保守モード設定手順を説明する。
【００３５】
図６（ａ）は通常時の表示／操作部１の監視画面を示すもので、図中斜線部は各車線の異常通知内容を表示するエリアである。図中、点線で示す釦４１、４３は、保守員が操作する非表示釦で、通常係員には使用させないため、表示されない。この非表示釦４１、４３を所定の順番で選択操作（例えば、釦４１、釦４３、釦４１の順に１回ずつ押して選択）すると、図６（ｂ）に示すような隠れ操作釦４５、４７、４９が画面下部のエリアに表示される。すなわち、隠れ操作釦４５、４７、４９は通常は表示されず、保守員によって非表示釦４１、４３が所定の手順で操作されたときのみ、操作可能なように表示される。ここで、隠れ操作釦４５はブザー釦表示制御釦、隠れ操作釦４７は業務釦、隠れ操作釦４９は終了釦である。
【００３６】
ブザー釦表示制御釦４５は、この時点では釦表面に「ブザー釦有」と表示される。「ブザー釦有」のブザー釦表示制御釦４５を選択すると、図６（ｃ）に示すように各車線のブザー制御釦５１が表示され、ブザー釦表示制御釦４５表面が「ブザー釦無」に変化する。
【００３７】
車線ごとに表示されるブザー制御釦５１には、その表面に「ブザー停止」または「ブザー開始」が表示され、「ブザー停止」のときは異常時にブザーが鳴動する通知モードに、「ブザー開始」のときはブザー鳴動が行われない停止モードに現在設定されていることを示している。なお、「ブザー釦無」のブザー釦表示制御釦４５を選択操作すると、各車線のブザー制御釦５１の表示が消え、図６（ｂ）の状態に戻る。
【００３８】
「ブザー停止」のブザー制御釦５１を選択操作すると、その車線はブザー停止状態（停止モード）となって、その釦表示内容が「ブザー開始」に変化する。逆に、「ブザー開始」のブザー制御釦５１を選択操作すると、ブザー発生状態（通知モード）となって、その釦の表示内容は「ブザー停止」に変化する。
【００３９】
終了釦４９を選択操作すると、すべての隠れ操作釦４５、４７、４９およびブザー制御釦５１の表示が消えて、図６（ａ）に示すような通常の監視状態に戻る。なお、業務釦４７は、設定などの料金収受機器監視以外の業務を実行する釦であり、異常通知のモード設定には関与しない。
【００４０】
図５に示す操作部データ処理は、図６に示す表示／操作部１でのモード設定手順に対応するもので、監視処理部１５は、表示／操作部１から隠れ操作釦４５、４７、４９を表示するための操作データを入力すると、隠れ操作釦４５、４７、４９の表示を行う（ステップ１２０、１２１）。
【００４１】
次に、ブザー釦表示制御釦４５の選択操作データを入力すると（ステップ１２２）、ブザー釦表示制御釦４５の表示内容が「ブザー釦無」のとき各車線のブザー制御釦５１を表示し、ブザー釦表示制御釦４５の表示内容が「ブザー釦有」のとき各車線のブザー制御釦５１を非表示とする（ステップ１２３）。ついで、ブザー釦表示制御釦４５の表示内容を「ブザー釦無」ならば「ブザー釦有」に、「ブザー釦有」ならば「ブザー釦無」に変更する（ステップ１２４）。
【００４２】
次に、ブザー釦表示制御釦４５によって車線ごとに表示されたブザー制御釦５１のうちの１つを選択操作したデータを入力すると（ステップ１２５）、選択操作されたブザー制御釦５１から車線番号を判別するとともに、その釦の表示内容からモードを判別しメモリ２３に記憶する（ステップ１２６）。ついで、選択操作されたブザー制御釦５１の表示内容を「ブザー停止」ならば「ブザー開始」に、「ブザー開始」ならば「ブザー停止」に変更する（ステップ１２７）。
【００４３】
最後に終了釦４９を選択した操作データを入力すると（ステップ１２８）、すべての隠れ操作釦４５、４７、４９およびブザー制御釦５１を非表示とする（ステップ１２９）。
【００４４】
図４および図５に示すように、監視処理部１５のメモリ２３には、各車線について通行券自動発行機３からの保守作業開始／終了の通知に基づくモード状態と表示／操作部１からのブザー制御釦操作に基づくモード状態が記憶される。
【００４５】
監視処理部１５は、このような異なるルートで設定されるモード状態を別の記憶手段で管理して、いずれかのモード状態が保守モードまたはブザー停止状態となっているとき、図４のステップ１１５、１１６にてブザー鳴動または音声通知を停止するよう制御する。
【００４６】
また、異なるルートで設定されるモード状態を同一の記憶手段で共通管理して、いずれのルートからも車線単位にモード状態を切替え可能にすることもできる。
【００４７】
上記の説明からも明らかなように、本実施の形態によれば、監視対象機器ごとに通常モードか保守モードかを設定して、保守モードのとき異常発生時のブザー鳴動または音声通知を停止することにより、保守作業中の機器異常を通常の機器異常と区別して監視することが可能となり、保守作業中であっても監視システムから切離すことなく機器を監視することができる。
【００４８】
また、機器を修理する際に、修理対象機器から直接料金収受機器監視システムに対し保守作業開始／終了を通知してモードを切り替えることにより、人為的にモードを切替る煩わしさをなくして、作業終了と同時に通常モードに戻すことができる。
【００４９】
さらにまた、修理した機器について、表示／操作部１からブザー停止状態に設定することにより、保守時でなくても異常発生時のブザー鳴動または音声通知を停止することができ、料金収受機器監視システムによる機器の修理確認を可能にすることができる。
【００５０】
【発明の効果】
上記したように、本発明によれば、監視対象機器によって異常発生時のブザー鳴動または音声通知を停止するよう設定することができ、保守作業中の機器異常を通常の機器異常と区別して監視することが可能となり、保守作業中であっても監視システムから切離すことなく機器を監視することができる。
【図面の簡単な説明】
【図１】本発明にかかる料金収受機器監視システムの全体構成を概略的に示すブロック図である。
【図２】図１に示す監視処理部の構成を示すブロック図である。
【図３】本発明の一実施の形態の料金収受機器監視システムの動作例を示すフロー図である。
【図４】本発明の一実施の形態の料金収受機器監視システムの動作例を示すフロー図である。
【図５】本発明の一実施の形態の料金収受機器監視システムの動作例を示すフロー図である。
【図６】本実施の形態にかかる表示／操作部からのモード設定を説明する図である。
【符号の説明】
１………表示／操作部
３………通行券自動発行機
５………通行券自動発行機制御部
９………映像制御部
１５………監視処理部
２１………ＣＰＵ
２３………メモリ
２５………操作部インタフェース部
２７………監視機器制御部インタフェース部
４１、４３………非表示釦
４５………ブザー釦表示制御釦
４９………終了釦
５１………ブザー制御釦
【図１】
0004295843.tif 000002
【図２】
0004295843.tif 000003
【図３】
0004295843.tif 000004
【図４】
0004295843.tif 000005
【図５】
0004295843.tif 000006
【図６】
0004295843.tif 000007